(57)【特許請求の範囲】
【請求項１】
地図データを記憶した記憶装置を有する情報センタから車両に搭載されたナビゲーション装置に地図データを転送するナビゲーション装置のデータ転送方法であって、
前記ナビゲーション装置は、
通信手段、地図データ記憶手段及び車両位置検出手段、並びに前記車両位置検出手段で検出した車両位置と前記地図データ記憶手段に記憶されている地図データとにより車両が走行中の道路を検出する制御手段を有し、前記制御手段が車両走行中の道路を検出できないときに、前記通信手段を介して前記情報センタに車両位置を示す信号を送信し、
前記情報センタは、前記ナビゲーション装置からの信号に応じて前記車両位置から一定範囲内の地図データを前記ナビゲーション装置に転送することを特徴とするナビゲーション装置のデータ転送方法。
【請求項２】
地図データを記憶した記憶装置を有する情報センタから車両に搭載されたナビゲーション装置に地図データを転送するナビゲーション装置のデータ転送方法であって、
前記ナビゲーション装置は、
通信手段、地図データ記憶手段及び車両位置検出手段、並びに前記車両位置検出手段で検出した車両位置と前記地図データ記憶手段に記憶されている地図データとにより車両が走行中の道路を検出する制御手段を有し、前記制御手段が車両走行中の道路を検出できないときに、前記通信手段を介して前記情報センタに車両位置から一定範囲内の地図データを要求する信号を送信し、
前記情報センタは、前記ナビゲーション装置からの信号に応じて前記車両位置から一定範囲内の地図データを前記ナビゲーション装置に転送することを特徴とするナビゲーション装置のデータ転送方法。
【発明の詳細な説明】
【０００１】
【発明の属する技術分野】
本発明は、車両の現在位置を検出して車両を目的地まで案内するナビゲーション装置において、通信回線を介して車両外部（情報センタ）から地図データを入力する際のデータ転送方法に関する。
【０００２】
【従来の技術】
車載用ナビゲーション装置は、地図データを記録したＣＤ−ＲＯＭ又はＤＶＤ−ＲＯＭ（以下、単に「ＣＤ−ＲＯＭ」という）等の地図データ記憶装置と、ディスプレイ装置と、ＧＰＳ（Global Positioning System ）受信機、ジャイロ及び車速センサ等の車両の現在位置及び現在方位を検出するセンサ等を有し、車両の現在位置を含む地図データを地図データ記憶装置から読み出し、該地図データに基づいて車両位置の周囲の地図画像をディスプレイ画面に描画すると共に、車両位置マーク（ロケーション）をディスプレイ画面に重ね合わせて表示し、車両の移動に応じて地図画像をスクロール表示したり、地図画像を画面に固定し車両位置マークを移動させたりして、車両が現在どこを走行しているのかを一目で判るようにしている。
【０００３】
また、通常、車載用ナビゲーション装置には、ユーザが所望の目的地に向けて道路を間違うことなく容易に走行できるようにした経路誘導機能が搭載されている。この経路誘導機能によれば、地図データを用いて出発地から目的地までを結ぶ最もコストが低い経路を横型探索法又はダイクストラ法等のシミュレーション計算を行って自動探索し、その探索した経路を誘導経路として記憶しておき、走行中、地図画像上に誘導経路を他の道路とは色を変えて太く描画して画面表示したり、車両が誘導経路上の進路を変更すべき交差点に一定距離内に近づいたときに、地図画像上の進路を変更すべき交差点に進路を示す矢印を描画して画面表示したりすることで、ユーザを目的地まで案内する。
【０００４】
なお、コストとは、距離を基に、道路幅員、道路種別（一般道か高速道かなど）、右折及び左折等に応じた定数を乗じた値や車両の走行予測時間などであり、誘導経路としての適正の程度を数値化したものである。距離が同一の２つの経路があったとしても、ユーザが例えば有料道路を使用するか否か、走行距離を優先するか走行時間を優先するかなどを指定することにより、コストは異なったものとなる。
【０００５】
ＣＤ−ＲＯＭ等の地図データ記憶装置に記憶されている地図は、1/12500 、1/25000 、1/50000 及び1/100000等の縮尺レベルに応じて適当な大きさの経度幅及び緯度幅に区切られており、道路等は経度及び緯度で表現された頂点（ノード）の座標集合として記憶されている。道路は２以上のノードの連結からなり、２つのノードを連結した部分はリンクといわれる。
【０００６】
【発明が解決しようとする課題】
近年、ナビゲーション装置に車両外部から通信回線を介して地図データを送ることが提案されている。例えば、所定の機関（以下、交通情報センタという）の記憶装置に最新の地図データを記憶しておき、自動車電話等を介してナビゲーション装置に地図データを転送することが考えられる。しかし、常に全ての地図データ転送していては、転送に長時間かかり、通信料金が高くなるとともに、通信トラフィックの混雑を招く。
【０００７】
以上から本発明の目的は、情報センタから通信回線等を介して地図データを転送するナビゲーション装置のデータ転送方法において、必要なデータのみを転送し、データの転送時間を短縮できるナビゲーション装置のデータ転送方法を提供することである。
【０００８】
【課題を解決するための手段】
上記した課題は、地図データを記憶した記憶装置を有する情報センタから車両に搭載されたナビゲーション装置に地図データを転送するナビゲーション装置のデータ転送方法であって、前記ナビゲーション装置は、通信手段、地図データ記憶手段及び車両位置検出手段、並びに前記車両位置検出手段で検出した車両位置と前記地図データ記憶手段に記憶されている地図データとにより車両が走行中の道路を検出する制御手段を有し、前記制御手段が車両走行中の道路を検出できないときに、前記通信手段を介して前記情報センタに車両位置を示す信号を送信し、前記情報センタは、前記ナビゲーション装置からの信号に応じて前記車両位置から一定範囲内の地図データを前記ナビゲーション装置に転送することを特徴とする本願第１発明のナビゲーション装置のデータ転送方法により解決する。
【０００９】
なお、前記車両位置を示す信号に変えて、車両位置から一定範囲内の地図データを要求する信号を送信してもよい。
【００１０】
以下、本発明の作用について説明する。
本願発明において、ナビゲーション装置の制御手段は、車両位置検出手段により検出した車両位置と地図データ記憶手段に記憶されている地図データとを使用して車両が走行している道路を検出する。しかし、地図データ記憶手段に記憶されている地図データを使用するので、例えば新しい道路が開通し、その道路のデータが地図データ記憶手段の地図データに含まれていないときは、走行中の道路を検出することができない。
【００１１】
本願発明においては、このように走行中の道路を検出することができないときに、ナビゲーション装置は通信手段を介して情報センタに車両位置を示す信号又は車両位置から一定範囲内の地図データを要求する信号を送信する。そうすると、情報センタは、前記ナビゲーション装置からの信号に応じて、車両位置から一定範囲内の地図データをナビゲーション装置に転送する。
【００１２】
このように、本願発明においては、車両位置から一定範囲内の地図データのみを自動的に転送するので、データの転送時間が短くて済む。これにより、通信料金を低く抑えることができるとともに、通信トラフィックの混雑が回避される。
【００１４】
【実施の形態】
以下、本発明の実施の形態について、添付の図面を参照して説明する。
（第１の実施の形態）
図１は本発明の第１の実施の形態のナビゲーション装置のデータ転送方法を示す模式図である。
【００１５】
車両３０には、ナビゲーション装置３１と通信機（自動車電話等）３とが搭載されている。一方、交通情報センタ４０には、最新の地図データを記憶した記憶装置４１が備えられている。そして、ナビゲーション装置３１は、通信機３を介して交通情報センタ４０との間でデータの送受信を行う。
図２はナビゲーション装置３１を示すブロック図である。
【００１６】
１０はナビゲーション装置本体であり、１は地図データを記憶したＣＤ−ＲＯＭである。２はナビゲーション装置本体１０を操作するための各種操作ボタン等が設けられた操作部である。操作部２には、カーソルを移動する際に使用するジョイステックや、「メニュー」ボタン及び「決定」ボタン等が設けられている。３は上述した通信機であり、４はＧＰＳ衛星から送られてくるＧＰＳ信号を受信して車両の現在位置の経度及び緯度を検出するＧＰＳ受信機である。５は自立航法センサであり、この自立航法センサ５は、車両回転角度を検出するジャイロ等の角度センサ５ａと、一定の走行距離毎にパルスを発生する走行距離センサ５ｂとにより構成されている。７は液晶ディスプレイ装置であり、ナビゲーション装置本体１０は、このディスプレイ装置７に車両の現在位置の周囲の地図を表示したり、出発地から目的地までの誘導経路や車両位置マーク及びその他の案内情報を表示する。８はスピーカーであり、ナビゲーション装置本体１０はユーザにスピーカー８を介して各種案内情報を音声で伝達する。
【００１７】
ナビゲーション装置本体１０は以下のものから構成されている。１７は交通情報センタ４０から送られてくる地図データを記憶するための更新データ記憶部である。また、１１はＣＤ−ＲＯＭ１又は更新データ記憶部１７から読み出された地図データを一時的に記憶するバッファメモリである。１２は操作部２と接続されるインターフェース、１３は通信機３と接続されるインターフェース、１４はＧＰＳ受信機４と接続されるインターフェース、１５は自立航法センサ５に接続されるインターフェースである。１６は制御部であり、この制御部１６は、インターフェース１４，１５から入力される情報を基に車両の現在位置を検出したり、ＣＤ−ＲＯＭ１又は更新データ記憶部１７から所定の地図データをバッファメモリ１１に読み出したり、バッファメモリ１１に読み出された地図データを用いて設定された探索条件で出発地から目的地までの誘導経路を探索する。
【００１８】
１８はバッファメモリ１１に読み出された地図データを用いて地図画像を生成する地図描画部である。２０は制御部１６で探索した誘導経路を記憶する誘導経路記憶部、２１は誘導経路を描画する誘導経路描画部である。誘導経路記憶部２０には、制御部１６によって探索された誘導経路の全ノードが出発地から目的地まで記録される。誘導経路描画部２１は、地図を表示する際に、誘導経路記憶部２０から誘導経路情報（ノード列）を読み出して、誘導経路を他の道路とは異なる色及び線幅で描画する。
【００１９】
１９は動作状況に応じた各種メニュー画面（操作画面）や車両位置マーク及びカーソル等の各種マークを生成する操作画面・マーク発生部である。
２２は音声信号発生部である。この音声信号発生部２２には予め複数の音声メッセージが記録されており、制御部１６からの信号に応じて所定の音声メッセージをスピーカー８に出力する。
【００２０】
２３は画像合成部であり、地図描画部１８で描画された地図画像に、操作画面・マーク発生部１９で生成した各種マークや操作画面、誘導経路描画部２１で描画した誘導経路などを重ね合わせてディスプレイ装置７に表示させる。
図３は、交通情報センタ４０の記憶装置４１に記憶されている地図データの構成を示す模式図である。この図３に示すように、地図データは、経線及び緯線に平行な直線により区画された矩形領域（以下、区域という）毎に分割されており、各区域の地図データにはそれぞれ異なるメッシュコード（図３に示す例では、Ａ11〜Ａ44）が付加されている。ＣＤ−ＲＯＭ１に記憶されている地図データも、これと同様に、メッシュコードで表現される区域毎に分割されている。交通情報センタ４０は、地図データを転送する場合、区域毎の地図データを１つの単位としてデータ転送を行う。
【００２１】
図４は本実施の形態のナビゲーション装置のデータ転送方法を示すフローチャート、図５（ａ），（ｂ）は地図データ転送前及び転送後の画面表示例を示す図である。なお、図５（ａ），（ｂ）において、３５は車両位置マークである。
まず、ナビゲーション装置３１の制御部１６は、ＧＰＳ受信機４で受信したＧＰＳ信号と、自立航法センサ５から入力した信号とから車両の現在位置を検出する（ステップＳ１１）。そして、更新データ記憶部１７又はＣＤ−ＲＯＭ１から車両周囲の地図データを読み出してバッファメモリ１１に格納する。この場合、制御部１６は更新データ記憶部１７に記憶されている地図データを優先し、更新データ記憶部１７に該当するデータがないときにＣＤ−ＲＯＭ１から地図データを読み出す。地図描画部１８は、バッファメモリ１１に読み出された地図データに基づいて地図画像を生成し、ディスプレイ装置７に車両周囲の地図画像を表示する。
【００２２】
また、制御部１６は、ＧＰＳ受信機４及び自立航法センサ５から入力した信号により検出した自車位置を基に、ディスプレイ装置７に表示された地図画像に車両位置マークを重ね合わせて表示し、車両の移動に伴って車両位置マークを移動させたり、地図画像をスクロール表示する。
更に、制御部１６は、ＧＰＳ受信機４及び自立航法センサ５で検出した自車位置とバッファメモリ１１に読み出された地図データとを使用して、車両が走行している道路を検出する。そして、車両がその道路上に位置するように、ＧＰＳ受信機４及び自立航法センサ５で検出した車両の現在位置を、バッファメモリ１１に読み出した地図データを使用して補正（マップマッチング）する（ステップＳ１２）。
【００２３】
次に、制御部１６は、マッチングエラーが発生したか否かを調べる（ステップＳ１３）。車両の現在位置と道路との間隔が一定値よりも小さいときはマップマッチングが可能であり、この場合はステップＳ１３からステップＳ１１に戻る。一方、図５（ａ）に示すように、車両が走行中の道路のデータが更新データ記憶部１７又はＣＤ−ＲＯＭ１に記憶されている地図データにないときは、走行中の道路を検出することができない。従って、車両の現在位置と道路との距離が一定値よりも大きくなってマッチングエラーとなる。
【００２４】
マッチングエラーが発生した場合、制御部１６は通信機３を介して交通情報センタ４０に通信回線を接続する（ステップＳ１４，ステップＳ２１）。そして、ナビゲーション装置３１と交通情報センタ４０との間で通信プロトコルが確立すると、制御部１６は車両の現在位置を示す信号を交通情報センタ４０に送信する（ステップＳ１５，ステップＳ２２）。
【００２５】
交通情報センタ４０では、ナビゲーション装置３１から車両の現在位置を示す信号を受信すると、車両の現在位置から一定の範囲内の区域のメッシュコードを検索する（ステップＳ２３）。例えば、図６に示すように、車両の現在位置から一定の範囲内（図中円で示す）にメッシュコードがＡ12，Ａ13，Ａ22，Ａ23，Ａ24，Ａ32，Ａ33，Ａ34，Ａ42，Ａ43，Ａ44の区域が含まれているとする。そうすると、交通情報センタ４０は、これらの区域の地図データをナビゲーション装置３１に送信する（ステップＳ１６，ステップＳ２４）。
【００２６】
制御部１６は、交通情報センタ４０から送られてきた地図データを更新データ記憶部１７に格納する。そして、交通情報センタ４０からナビゲーション装置３１への地図データの転送が完了すると、通信回線を切断する（ステップＳ１７，ステップＳ２５）。
このようにして更新データ記憶部１７に最新の地図データが格納された後、制御部１６は、更新データ記憶部１７に記憶されている地図データをバッファメモリ１１に読み出す。地図描画部１８は、バッファメモリ１１に読み出された地図データを用いて地図画像を描画する。これにより、図５（ｂ）に示すように地図画面上に新しい道路が表示されるようになる。
【００２７】
本実施の形態においては、車両が地図データにない道路を走行すると、ナビゲーション装置３１が自動的に交通情報センタ４０と通信を開始して車両の現在位置の周囲の地図データを最新のものに更新する。この場合に、車両の現在位置から一定の範囲内の地図データのみが通信を介して交通情報センタ４０からナビゲーション装置３１に転送されるので、無用なデータの転送が回避され、データ転送に要する時間が短くて済む。これにより、通信料金が低く抑えられるとともに、通信トラフィックの混雑が回避されるという利点がある。また、ユーザは、ＣＤ−ＲＯＭ１を新たに購入することなく最新の地図データを入手することができる。更に、メーカーにとっても、素早い情報の更新が可能であり、地図データの間違い等にも素早く対処することができるという利点がある。
【００２８】
なお、上述の実施の形態においては、ナビゲーション装置３１から交通情報センタ４０に車両の現在位置を示す信号を送信し、交通情報センタ４０にて車両の現在位置から一定の範囲内に含まれる区域のメッシュコードを検索する場合について説明したが、ナビゲーション装置３１側で地図データを要求する区域のメッシュコードを検索し、交通情報センタ４０にはメッシュコードを送信するようにしてもよい。この場合、交通情報センタ４０は、要求されたメッシュコードの区域の地図データを転送するだけでよい。
【００２９】
（第２の実施の形態）
図７〜図１０は本発明の第２の実施の形態のナビゲーション装置のデータ転送方法における画面表示例を示す図である。なお、本実施の形態においても、図１〜図３を参照する。
本実施の形態においては、地図データを更新しようとする領域をユーザが指定する。すなわち、まず、ユーザは、操作部２の「メニュー」ボタンを押してディスプレイ装置７にメニュー画面（図示せず）を表示させ、所定の項目を選択して「決定」ボタンを押す。そうすると、例えば図７に示す「データ更新する地域の指定」画面が表示される。
【００３０】
このデータ更新する地域の指定画面で、ユーザが例えば「矩形範囲指定」を選択して「決定」ボタンを押すと、図８（ａ）に示すようにディスプレイ装置７には地図画面とカーソル５０が表示される。ここで、ユーザがジョイステックを操作してカーソル５０を所望の位置に移動させて「決定」ボタンを押すと、図８（ｂ）に示すように、そのときのカーソル位置に始点マーク５１が表示される。そして、カーソル５０を移動させると、始点マーク５１とカーソル５０とにより大きさが決まる矩形（図中破線で示す）が表示される。ユーザは、ディスプレイ画面を見ながらジョイステックを操作し、データの更新を行うべき領域が矩形内に入るようにカーソル５０を移動させた後、「決定」ボタンを押す。そうすると、図９（ａ）に示すように、そのときのカーソル位置に終点マーク５２が表示され、始点マーク５１と終点マーク５２とを対角とする矩形の領域が範囲選択される。
【００３１】
このようにして範囲が選択されると、ナビゲーション装置３１の制御部１６は、通信機３を介して交通情報センタ４０と通信を開始し、始点及び終点位置を交通情報センタ４０に送信する。
交通情報センタ４０では、ナビゲーション装置３１から送られてきた始点及び終点位置により決まる矩形の領域に含まれる区域のメッシュコードを検索する。そして、記憶装置４１から該当するメッシュコードの区域の地図データを読み出し、ナビゲーション装置３１に送信する。
【００３２】
ナビゲーション装置３１の制御部１６は、交通情報センタ４０から送られてきた地図データを更新データ記憶部１１に格納する。そして、交通情報センタ４０からナビゲーション装置３１への地図データの転送が完了すると、制御部１６は通信回線を切断する。その後、制御部１６は、更新された地図データを更新データ記憶部１７からバッファメモリ１１に読み出す。これにより、図９（ｂ）に示すように、ディスプレイ装置７に新しい道路が表示されるようになる。
【００３３】
本実施の形態においては、ユーザがカーソルを移動させて決定した矩形領域に含まれる区域の地図データのみを転送するので、データ転送に要する時間が短くて済む。これにより、通信料金を低く抑えることができるとともに、通信トラフィックの混雑が回避される。また、ユーザは、ＣＤ−ＲＯＭ１を新たに購入することなく最新の地図データを入手することができる。更に、メーカーにとっても、素早い情報の更新が可能であり、地図データの間違い等にも素早く対処することができるという利点がある。
【００３４】
なお、上述の実施の形態においては、ナビゲーション装置３１の制御部１６により矩形領域の始点及び終点位置を示す信号を交通情報センタ４０に送る場合について説明したが、ナビゲーション装置３１側で矩形領域に対応する区域のメッシュコードを検索し、そのメッシュコードを交通情報センタ４０に送るようにしてもよい。
【００３５】
また、図７に示す画面で「ポリゴン指定」を選択した場合は、例えば図１０（ａ）に示すように地図が表示される。ユーザは、この地図画面上でカーソルを移動させた後に「決定」ボタンを押すことを繰り返して複数の点（図中、マーク５３〜５６で示す）を選択し、画面上の「通信開始」ボタンをクリックする。そうすると、画面上には、選択された点を結ぶ多角形が表示される。ナビゲーション装置３１の制御部１６はこれらの点の位置を示す信号を交通情報センタ４０に送信し、交通情報センタ４０ではこれらの点により囲まれた多角形領域を含む区域のメッシュコードを検索する。そして、これらの区域の地図データを記憶装置４１から読み出してナビゲーション装置３１に送る。
【００３６】
更に、図７に示す画面で「ポイント指定」を選択した場合は、例えば図１０（ｂ）に示すように地図が表示される。ユーザは地図画像上の所望の位置にカーソルを移動させた後に「決定」ボタンを押すことにより位置（図中×印で示す）を指定する。そうすると、ナビゲーション装置３１の制御部１６は指定された位置を示す信号を交通情報センタ４０に送信し、交通情報センタ４０では指定された位置から一定範囲内（図中円で示す）に含まれる区域のメッシュコードを検索する。そして、これらの区域の地図データをナビゲーション装置に転送する。
【００３７】
これらの場合も、「矩形範囲指定」を選択した場合と同様に、データ転送に要する時間が短くて済み、通信料金を低く抑えることができるとともに、通信トラフィックの混雑が回避される。
（第３の実施の形態）
図１１〜図１４は本発明の第３の実施の形態のナビゲーション装置のデータ転送方法における画面表示例を示す図である。本実施の形態においても、図１〜図３を参照する。
【００３８】
本実施の形態では、インターネットのＷＷＷ（World Wide Web）技術を使用してユーザ所望の領域を指定する。
すなわち、ユーザは、地図データを更新しようとする場合、通信機３を介して交通情報センタ４０のウェブサイト（ホームページ）に接続する。そうすると、図１１（ａ）に示す画面が表示される。ここで、例えば「地名で指定」をクリックすると、リンクされたウェブサイトに移動し、図１１（ｂ）に示すように、都道府県名が表示される。ここで、例えば「東京都」をクリックすると、リンクされたウェブサイトに移動し、図１２（ａ）に示すように、区名が表示される。ここで、例えば「この区域を更新」をクリックすると、東京都全体のデータの更新が開始される。
【００３９】
一方、図１２（ａ）に示す画面で例えば「品川区」をクリックすると、図１２（ｂ）に示すように、品川区内の町名が表示される。ここで、「この区域を更新」をクリックすると、品川区全体の地図データの更新が開始され、図１３に示すような画面が表示されて、交通情報センタ４０のウェブサイトからナビゲーション装置３１に地図データが転送される。ナビゲーション装置３１は、転送されてきた地図データを更新データ記憶部１７に記憶する。
【００４０】
また、図１２（ｂ）に示す画面で町名を選択すると、その選択された町を中心とする一定範囲内の地図データが交通情報センタ４０のウェブサイトからナビゲーション装置３１に転送される。
本実施の形態においても、ユーザにより指定された区域の地図データのみを転送するので、第１及び第２の実施の形態と同様に、通信に要する時間が短く、通信料金を節約できるとともに、通信トラフィックの混雑が抑制される。また、ユーザは常に最新かつ必要な情報を、ディスクを再購入することなしに入手可能となる。更に、メーカー側の素早い情報更新や、地図の間違いに対するクレームに対処できるという利点がある。
【００４１】
また、図１１（ａ）に示す画面で「地図で指定」をクリックすると、リンクされたウェブサイトに移動し、図１４（ａ）に示すように、日本全体の地図が表示される。ユーザはこの地図上の所望の位置をクリックする。ここで、例えば関東地方をクリックしたとすると、リンクされたウェブサイトに移動して、図１４（ｂ）に示すように関東地方の地図が表示される。また、この地図上の所望の位置をクリックすることにより、クリックした地域の拡大地図が表示される。このようにして、画面上にユーザが更新を希望する地域の地図を表示させて、データの更新を指定することにより、上記の例と同様に、指定された地点の最新の地図データが交通情報センタのウェブサイトから転送され、ナビゲーション装置の更新データ記憶部１７に記憶される。
【００４２】
更に、図１１（ｂ）に示す画面で「郵便番号で指定」を選択した場合は、郵便番号で示される区域の地図データを交通情報センタ４０からナビゲーション３１に転送する。
これらの場合も、「地図で指定」を選択したときと同様の効果が得られる。
【００４３】
【発明の効果】
以上説明したように、本発明方法によれば、ナビゲーション装置の制御手段が、車両位置検出手段により検出した車両位置と地図データ記憶手段に記憶されている地図データとを使用して車両が走行している道路を検出し、走行中の道路を検出できないときに、通信手段を介して情報センタに車両位置を示す信号又は車両位置から一定範囲内の地図データを要求する信号を送信し、情報センタはナビゲーション装置からの信号に応じて車両位置から一定範囲内の地図データをナビゲーション装置に転送する。これにより、無用なデータの転送が回避され、データ転送に要する時間が短くて済み、通信料金を低く抑えることができるとともに、通信トラフィックの混雑が回避される。
【図面の簡単な説明】
【図１】本発明の第１の実施の形態のナビゲーション装置のデータ転送方法を示す模式図である。
【図２】ナビゲーション装置の構成を示すブロック図である。
【図３】交通情報センタの記憶装置に記憶されている地図データの構成を示す模式図である。
【図４】第１の実施の形態のナビゲーション装置のデータ転送方法を示すフローチャート図である。
【図５】地図データ転送前及び転送後の画面表示例を示す図である。
【図６】車両位置から一定範囲内に含まれる区域を示す模式図である。
【図７】本発明の第２の実施の形態のナビゲーション装置のデータ転送方法における画面表示例を示す図（その１）である。
【図８】本発明の第２の実施の形態のナビゲーション装置のデータ転送方法における画面表示例を示す図（その２）である。
【図９】本発明の第２の実施の形態のナビゲーション装置のデータ転送方法における画面表示例を示す図（その３）である。
【図１０】本発明の第２の実施の形態のナビゲーション装置のデータ転送方法における画面表示例を示す図（その４）である。
【図１１】本発明の第３の実施の形態のナビゲーション装置のデータ転送方法における画面表示例を示す図（その１）である。
【図１２】本発明の第３の実施の形態のナビゲーション装置のデータ転送方法における画面表示例を示す図（その２）である。
【図１３】本発明の第３の実施の形態のナビゲーション装置のデータ転送方法における画面表示例を示す図（その３）である。
【図１４】本発明の第３の実施の形態のナビゲーション装置のデータ転送方法における画面表示例を示す図（その４）である。
【符号の説明】
１  ＣＤ−ＲＯＭ、
２  操作部、
３  通信機、
４  ＧＰＳ受信機、
５  自立航法センサ、
７  ディスプレイ装置、
１０  ナビゲーション装置本体、
１１  地図データ記憶部、
１２〜１５  インターフェース、
１６  制御部、
１８  地図描画部、
１９  操作画面・マーク発生部、
２０  誘導経路記憶部、
２１  誘導経路描画部、
２３  画像合成部、
３０  車両、
３１  ナビゲーション装置、
４０  交通情報センタ、
４１  記憶装置。
【図１】
0003661827.tif 000002
【図２】
0003661827.tif 000003
【図３】
0003661827.tif 000004
【図４】
0003661827.tif 000005
【図５】
0003661827.tif 000006
【図６】
0003661827.tif 000007
【図７】
0003661827.tif 000008
【図８】
0003661827.tif 000009
【図９】
0003661827.tif 000010
【図１０】
0003661827.tif 000011
【図１１】
0003661827.tif 000012
【図１２】
0003661827.tif 000013
【図１３】
0003661827.tif 000014
【図１４】
0003661827.tif 000015